(57)【要約】【課題】本発明は、非使用時には指紋センサを保護することができ、かつ使用時には指紋読取開口部の開閉の手間を軽減することができるカードリーダ一体型指紋照合装置を得ることを目的とするものである。【解決手段】ケース１には、指紋読取開口部１ｂが設けられている。指紋センサ５は、指紋読取開口部１ｂに臨んで配置されている。ケース１内には、指紋読取開口部１ｂを開閉する開口部カバー８が設けられている。開口部カバー８は、指紋読取開口部１ｂを閉鎖する閉鎖位置と指紋読取開口部を開放する開放位置との間で変位可能になっている。また、開口部カバー８は、ケース１へのＩＣカード２の挿入に連動して開放位置に変位され、ケース１からのＩＣカード２の抜き取りに連動して閉鎖位置に変位され。【選択図】図３
2005352760.tif 000002
【特許請求の範囲】
【請求項１】
指紋読取開口部が設けられているケース、
上記指紋読取開口部に臨んで配置された指紋センサと、上記ケースに挿入されたＩＤカードの情報を読み取るためのＩＤカード読取部とを有し、上記ケース内に配置されている照合装置本体、及び
上記ケースに設けられ、上記指紋読取開口部を閉鎖する閉鎖位置と上記指紋読取開口部を開放する開放位置との間で変位可能な開口部カバー
を備え、上記開口部カバーは、上記ケースへのＩＤカードの挿入に連動して上記開放位置に変位され、上記ケースからのＩＤカードの抜き取りに連動して上記閉鎖位置に変位されることを特徴とするカードリーダ一体型指紋照合装置。
【請求項２】
上記開口部カバーには、上記ケースへのＩＤカードの挿入時にＩＤカードが当接する当接部が設けられており、上記当接部がＩＤカードにより押圧されることにより、上記開口部カバーが上記開放位置に変位されるようになっていることを特徴とする請求項１記載のカードリーダ一体型指紋照合装置。
【請求項３】
上記開口部カバーを上記閉鎖位置に付勢する付勢部材をさらに備え、上記ケースからＩＤカードを抜き取ることにより、上記開口部カバーは上記付勢部材の付勢力により上記閉鎖位置に戻されるようになっていることを特徴とする請求項１又は請求項２に記載のカードリーダ一体型指紋照合装置。
【請求項４】
上記開口部カバーは、上記ケース内に揺動可能に設けられた一対のカバー片を有しており、
上記カバー片は、上記閉鎖位置にあるとき、上記指紋読取開口部内で互いに接合されており、上記ケースへのＩＤカードの挿入により上記指紋読取開口部の両側へ揺動して互いに開離されることを特徴とする請求項１〜請求項３のいずれかに記載のカードリーダ一体型指紋照合装置。
【請求項５】
上記開口部カバーは、上記ケースへのＩＤカードの挿入により、ＩＤカードの挿入方向と同方向へスライドされて上記開放位置に変位されることを特徴とする請求項１〜請求項３のいずれかに記載のカードリーダ一体型指紋照合装置。
【発明の詳細な説明】
【技術分野】
【０００１】
この発明は、共通のケース内に指紋センサとＩＤカード読取部とが設けられているカードリーダ一体型指紋照合装置に関するものである。
【背景技術】
【０００２】
従来の指紋照合装置では、指紋センサが設けられたベースに、ヒンジを介して蓋が取り付けられている。また、ベースにはリードスイッチが設けられており、蓋を閉じるとリードスイッチがオンにされ、蓋を開くとリードスイッチがオフにされる。蓋が閉じられた状態では、指置き判定回路、指紋照合回路等の回路電源はオフにされる（例えば、特許文献１参照）。
【０００３】
【特許文献１】特開２００４−２１４７１号公報
【発明の開示】
【発明が解決しようとする課題】
【０００４】
従来の指紋照合装置においては、指紋照合を実施する度に蓋を開閉する必要があり、手間がかかってしまう。
【０００５】
この発明は、上記のような課題を解決するためになされたものであり、非使用時には指紋センサを保護することができ、かつ使用時には指紋読取開口部の開閉の手間を軽減することができるカードリーダ一体型指紋照合装置を得ることを目的とする。
【課題を解決するための手段】
【０００６】
この発明に係るカードリーダ一体型指紋照合装置は、指紋読取開口部が設けられているケース、指紋読取開口部に臨んで配置された指紋センサと、ケースに挿入されたＩＤカードの情報を読み取るためのＩＤカード読取部とを有し、ケース内に配置されている照合装置本体、及びケースに設けられ、指紋読取開口部を閉鎖する閉鎖位置と指紋読取開口部を開放する開放位置との間で変位可能な開口部カバーを備え、開口部カバーは、ケースへのＩＤカードの挿入に連動して開放位置に変位され、ケースからのＩＤカードの抜き取りに連動して閉鎖位置に変位されるものである。
【発明の効果】
【０００７】
この発明のカードリーダ一体型指紋照合装置は、非使用時には指紋読取開口部が開口部カバーにより閉鎖されるため、指紋センサを保護することができる。また、ＩＤカードの挿入・抜き取りに連動して指紋読取開口部が開閉されるため、指紋読取開口部の開閉の手間を軽減することができる。
【発明を実施するための最良の形態】
【０００８】
以下、この発明を実施するための最良の形態について、図面を参照して説明する。
実施の形態１．
図１はこの発明の実施の形態１によるカードリーダ一体型指紋照合装置を示す平面図、図２は図１のＩＩ−ＩＩ線に沿う断面図、図３は図１のカードリーダ一体型指紋照合装置にＩＣカードを挿入した状態を示す平面図、図４は図３のＩＶ−ＩＶ線に沿う断面図である。
【０００９】
図において、ケース１の一端部には、ＩＤカードとしてのＩＣカード２を挿入するためのカード挿入口１ａが設けられている。ケース１の上面には、指紋読取開口部１ｂが設けられている。ＩＣカード２には、リード端子２ａが設けられている。
【００１０】
ケース１内には、照合装置本体３が収容されている。照合装置本体３は、プリント基板４と、プリント基板４の第１面に実装された指紋センサ５と、プリント基板４の第２面に実装されたＩＤカード読取部としてのＩＣカード読取部（ＩＣカード読取端子）６とを有している。指紋センサ５は、指紋読取開口部１ｂに臨んで配置されている。ＩＣカード２に格納された情報は、ＩＣカード読取部６及びリード端子２ａを介して照合装置本体３に読み取られる。照合装置本体３は、ケース１から引き出された通信ケーブル７（図２、４では図示略）を介してコンピュータ（パソコン等）に接続されている。
【００１１】
ケース１内には、指紋読取開口部１ｂを開閉する開口部カバー８が設けられている。開口部カバー８は、指紋読取開口部１ｂを閉鎖する閉鎖位置（図１）と指紋読取開口部１ｂを開放する開放位置（図３）との間で変位可能になっている。また、開口部カバー８は、ケース１へのＩＣカード２の挿入に連動して開放位置に変位され、ケース１からのＩＣカード２の抜き取りに連動して閉鎖位置に変位される。
【００１２】
さらに、開口部カバー８は、ケース１内に揺動可能に設けられた一対のカバー片８ａ，８ｂを有している。カバー片８ａ，８ｂは、閉鎖位置にあるとき、指紋読取開口部１ｂ内で互いに接合されており、ケース１へのＩＣカード２の挿入により指紋読取開口部１ｂの両側へ揺動して互いに開離される。また、各カバー片８ａ，８ｂは、互いに鈍角をなす２つの直線部により構成されており、一方の直線部が指紋読取開口部１ｂを開閉するようになっている。
【００１３】
各カバー片８ａ，８ｂには、ケース１へのＩＣカード２の挿入時にＩＣカード２が当接する当接部（カード受けゲート）９ａ，９ｂが設けられている。開口部カバー８は、当接部９ａ，９ｂがＩＣカード２により押圧されることにより、開放位置に変位されるようになっている。カバー片８ａ，８ｂ及び当接部９ａ，９ｂは、軸１０ａ，１０ｂを中心に一体的に揺動可能である。
【００１４】
カバー片８ａ，８ｂ間には、カバー片８ａ，８ｂを閉鎖位置に付勢する付勢部材１１（図２、４では図示略）が接続されている。付勢部材１１としては、例えば引張ばねが用いられている。開口部カバー８は、ケース１からＩＣカード２を抜き取ることにより、付勢部材１１の付勢力により閉鎖位置に戻されるようになっている。
【００１５】
次に、動作について説明する。非使用時には、指紋読取開口部１ｂはカバー片８ａ，８ｂにより閉じられており、指紋センサ５はゴミ等の付着から保護されている。ＩＣカード２をケース１内に挿入すると、ＩＣカード２の先端の幅方向両端部が当接部９ａ，９ｂに当接する。そして、当接部９ａ，９ｂは、ＩＣカード２の挿入に伴ってＩＣカード２により押圧される。これにより、当接部９ａ，９ｂとカバー片８ａ，８ｂとが軸１０ａ，１０ｂを中心に揺動され、カバー片８ａ，８ｂが開放位置に変位される。
【００１６】
ケース１内にＩＣカード２が完全に挿入されると、ＩＣカード２内に記憶された指紋特徴データがカード読取部６及びリード端子２ａを介して照合装置本体３の回路内に読み取られる。次に、指紋センサ５上に指を置くことにより、指紋画像が読み取られ、照合装置本体３内の回路により指紋特徴データが計算される。そして、ＩＣカード２から読み取られた指紋特徴データとの比較計算が行われ、一致していると判断されれば「照合ＯＫ」、一致していないと判断されれば「照合ＮＧ」の結果が通信ケーブル７を介してコンピュータに出力される。
【００１７】
照合の後、ＩＣカード２をケース１から引き抜くと、付勢部材１１の付勢力によりカバー片８ａ，８ｂが閉鎖位置に自動的に戻り、指紋読取開口部１ｂは再び閉鎖される。
【００１８】
このようなカードリーダ一体型指紋照合装置では、非使用時には指紋読取開口部１ｂが開口部カバー８により閉鎖されるため、指紋センサ５を保護することができる。また、ＩＣカード２の挿入・抜き取りに連動して指紋読取開口部１ｂが開閉されるため、指紋読取開口部１ｂの開閉の手間を軽減することができる。
【００１９】
実施の形態２．
次に、図５はこの発明の実施の形態２によるカードリーダ一体型指紋照合装置を示す平面図、図６は図５のＶＩ−ＶＩ線に沿う断面図、図７は図５のカードリーダ一体型指紋照合装置にＩＣカードを挿入した状態を示す平面図、図８は図７のＶＩＩＩ−ＶＩＩＩ線に沿う断面図である。
【００２０】
図において、ケース１内には、指紋読取開口部１ｂを開閉する開口部カバー１２が設けられている。開口部カバー１２は、指紋読取開口部１ｂを閉鎖する閉鎖位置（図５）と指紋読取開口部１ｂを開放する開放位置（図７）との間で変位可能になっている。また、開口部カバー１２は、ケース１へのＩＣカード２の挿入に連動して開放位置に変位され、ケース１からのＩＣカード２の抜き取りに連動して閉鎖位置に変位される。
【００２１】
具体的には、開口部カバー１２は、ケース１へのＩＣカード２の挿入により、ＩＣカード２の挿入方向と同方向へスライドされて開放位置に変位される。また、開口部カバー１２は、ケース１からのＩＣカード２の抜き取りにより、ＩＣカード２の抜き取り方向と同方向へスライドされて閉鎖位置に変位される。
【００２２】
ケース１内には、ケース１へのＩＣカード２の挿入時にＩＣカード２が当接するカード受けゲート１３ａ，１３ｂが設けられている。カード受けゲート１３ａ，１３ｂは、軸１４ａ，１４ｂを中心に揺動可能である。開口部カバー１２は、カード受けゲート１３ａ，１３ｂがＩＣカード２により押圧されて揺動されることにより、カード受けゲート１３ａ，１３ｂにより押圧されて開放位置に変位されるようになっている。
【００２３】
開口部カバー１２は、指紋読取開口部１ｂを開閉するカバー本体１２ａと、カード受けゲート１３ａ，１３ｂに係合する一対のアーム部１２ｂ，１２ｃとを有している。開口部カバー１２とケース１との間には、開口部カバー１２を閉鎖位置に付勢する付勢部材１５（図６、８では図示略）が接続されている。付勢部材１５としては、例えば引張ばねが用いられている。開口部カバー１２は、ケース１からＩＣカード２を抜き取ることにより、付勢部材１５の付勢力により閉鎖位置に戻されるようになっている。他の構成は、実施の形態１と同様である。
【００２４】
このようなカードリーダ一体型指紋照合装置においても、非使用時には指紋読取開口部１ｂが開口部カバー１２により閉鎖されるため、指紋センサ５を保護することができる。また、ＩＣカード２の挿入・抜き取りに連動して指紋読取開口部１ｂが開閉されるため、指紋読取開口部１ｂの開閉の手間を軽減することができる。
【００２５】
実施の形態３．
次に、図９はこの発明の実施の形態３によるカードリーダ一体型指紋照合装置の断面図、図１０は図９のカードリーダ一体型指紋照合装置にＩＣカードを挿入した状態を示す断面図である。実施の形態１では接触式のＩＣカード２を示したが、実施の形態３では、非接触式のＩＣカード１７が用いられている。これに対応して、ＩＤカード読取部としてのＩＣカード読取部１６も非接触式のものとなっている。即ち、ＩＣカード読取部１６は、ＩＣカード１７に対して間隔をおいて対向した状態で、ＩＣカード１７に格納された情報を読み取る。他の構成は、実施の形態１と同様であり、平面形状も図１、図３と同様である。
【００２６】
このように、非接触式のＩＣカード１７用のカードリーダ一体型指紋照合装置にもこの発明は適用できる。
【００２７】
実施の形態４．
次に、図１１はこの発明の実施の形態４によるカードリーダ一体型指紋照合装置の断面図、図１２は図１０のカードリーダ一体型指紋照合装置にＩＣカードを挿入した状態を示す断面図である。実施の形態２では接触式のＩＣカード２を示したが、実施の形態４では、非接触式のＩＣカード１７が用いられている。これに対応して、ＩＤカード読取部としてのＩＣカード読取部１６も非接触式のものとなっている。他の構成は、実施の形態２と同様であり、平面形状も図５、図７と同様である。
【００２８】
このように、実施の形態２と同様のカードリーダ一体型指紋照合装置を非接触式のＩＣカード１７対応としてもよい。
【００２９】
なお、上記の例では、開口部カバーをケース内に配置したが、ケースの外周面上に配置することも可能である。
また、上記の例では、指紋読取開口部がケースのほぼ中央部に配置されているが、指紋読取開口部は、例えばケースの端部近傍に配置されていてもよい。
さらに、上記の例では、共通のプリント基板に指紋センサとＩＣカード読取部とを実装したが、別々の基板に分けて実装してもよい。
さらにまた、上記の例では、通信ケーブルを介して照合装置をコンピュータに接続して使用する場合を示したが、この発明の照合装置はあらゆる用途に適用することができ、例えばドアロック装置等のセキュリティシステムの一部に組み込んで使用することも可能である。
また、上記の例では、ＩＤカードとして接触式及び非接触式のＩＣカード２，１７を示したが、ＩＤカードはＩＣカードに限定されるものではなく、例えば磁気カード等であってもよい。
【図面の簡単な説明】
【００３０】
【図１】この発明の実施の形態１によるカードリーダ一体型指紋照合装置を示す平面図である。
【図２】図１のＩＩ−ＩＩ線に沿う断面図である。
【図３】図１のカードリーダ一体型指紋照合装置にＩＣカードを挿入した状態を示す平面図である。
【図４】図３のＩＶ−ＩＶ線に沿う断面図である。
【図５】この発明の実施の形態２によるカードリーダ一体型指紋照合装置を示す平面図である。
【図６】図５のＶＩ−ＶＩ線に沿う断面図である。
【図７】図５のカードリーダ一体型指紋照合装置にＩＣカードを挿入した状態を示す平面図である。
【図８】図７のＶＩＩＩ−ＶＩＩＩ線に沿う断面図である。
【図９】この発明の実施の形態３によるカードリーダ一体型指紋照合装置の断面図である。
【図１０】図９のカードリーダ一体型指紋照合装置にＩＣカードを挿入した状態を示す断面図である。
【図１１】この発明の実施の形態４によるカードリーダ一体型指紋照合装置の断面図である。
【図１２】図１１のカードリーダ一体型指紋照合装置にＩＣカードを挿入した状態を示す断面図である。
【符号の説明】
【００３１】
１  ケース、１ｂ  指紋読取開口部、２，１７  ＩＣカード、３  照合装置本体、５  指紋センサ、６，１６  ＩＣカード読取部、８，１２  開口部カバー、８ａ，８ｂ  カバー片、９ａ，９ｂ  当接部、１１，１５  付勢部材。
【図１】
2005352760.tif 000003
【図２】
2005352760.tif 000004
【図３】
2005352760.tif 000005
【図４】
2005352760.tif 000006
【図５】
2005352760.tif 000007
【図６】
2005352760.tif 000008
【図７】
2005352760.tif 000009
【図８】
2005352760.tif 000010
【図９】
2005352760.tif 000011
【図１０】
2005352760.tif 000012
【図１１】
2005352760.tif 000013
【図１２】
2005352760.tif 000014